(57)【要約】【課題】竹を主材料とする多様な大きさや形状のプランターを提供する。【解決手段】所定の長さの竹の全周を整数個に等角度分割した部分からなりかつ両端の各鉛直断面にて外面（２ｃ）から内方に平面視にて略矩形に切り欠かれた切欠き部（２ａ）と該切欠き部（２ａ）と内面（２ｄ）の間に残る突出部（２ｂ）とをそれぞれ形成されている側面用竹部材（２）と、前記側面用竹部材（２）より小径の竹からなりかつ平坦円筒形状の底面用竹部材（４、５）と、を具備し、複数の前記側面用竹部材（２）が長さ方向を鉛直として全周に亘って配置されかつ隣り合う側面用竹部材（２）同士が互いの前記切欠き部（２ａ）と前記突出部（２ｂ）により係合して接着固定されている側面部と、  複数の前記底面用竹部材（４、５）が前記側面部の下端内側に敷設されかつ該側面部と接着固定されている底面部と、を有する竹プランターである。【選択図】図１
2018108056.tif 000002
【特許請求の範囲】
【請求項１】
所定の長さの竹の全周を整数個に等角度分割した部分からなりかつ両端の各鉛直断面にはその外面（２ｃ）側に平面視にて略矩形に切り欠かれた切欠き部（２ａ）を具備しその内面（２ｄ）側に平面視にて略矩形の突出部（２ｂ）を具備する側面用竹部材（２）と、
前記側面用竹部材（２）より小径の竹からなりかつ平坦円筒形状の底面用竹部材（４、５）と、を具備し、
複数の前記側面用竹部材（２）がその長さ方向を鉛直方向として全周に亘って配置されかつ隣り合う側面用竹部材（２）同士が互いの前記切欠き部（２ａ）と前記突出部（２ｂ）により係合して接着固定されている側面部と、
複数の前記底面用竹部材（４、５）が前記側面部の下端内側に敷設されかつ該側面部と接着固定されている底面部と、を有することを特徴とする
竹プランター。
【請求項２】
前記側面用竹部材（２）が、竹の全周を２個又は３個に等角度分割した部分からなることを特徴とする
請求項１に記載の竹プランター。
【請求項３】
前記側面用竹部材（２）と同じ長さでかつ該側面用竹部材（２）より小径の竹の全周の２分の１以下の部分からなる補強用竹部材（３）をさらに具備し、
前記補強用竹部材（３）が、隣り合う前記側面用竹部材（２）同士の係合固定部分において隣り合う該側面用竹部材（２）の各々の内面に接着固定されていることを特徴とする
請求項１又は２に記載の竹プランター。
【請求項４】
１つの前記側面用竹部材（２’）の一端の切欠き部（２ａ’）に対し該一端側の隣の側面用竹部材（２）の他端の突出部（２ｂ）が嵌め込まれ、かつ、該１つの側面用竹部材（２’）の他端の突出部（２ｂ’）は該他端側の隣の側面用竹部材（２”）の一端の切欠き部（２ａ”）に嵌め込まれるように、全周に亘って複数の前記側面用竹部材が係合していることを特徴とする
請求項１〜３のいずれかに記載の竹プランター。
【発明の詳細な説明】
【技術分野】
【０００１】
本発明は、竹を利用したプランターに関する。
【背景技術】
【０００２】
竹は生長が極めて早いことから、竹林の増殖を抑制し適切な管理を行うこと困難であり大きな問題となっている。竹炭、竹酢液、竹細工等、多様な竹製品によって竹の利用が試みられているが、十分な効果は得られていない。
【０００３】
竹は、鑑賞にも適する美しい外観を有することから、花器やプランターへの利用も行われている（特許文献１〜３）。現状では、園芸で利用されているプランターは、ほとんどがプラスチックや陶器である。
【先行技術文献】
【特許文献】
【０００４】
【特許文献１】実用新案登録第３１５９４０４号公報
【特許文献２】実開平７−３６８３３号公報
【特許文献３】実公平３−５６４００号公報
【発明の概要】
【発明が解決しようとする課題】
【０００５】
特許文献１〜３のような従来の竹製の花器やプランターは、円筒状の竹をそのまま利用したり、半割した竹を水平方向に配置して側板や底板として用いたり、竹以外の部材と組み合わせて用いたりするものであった。従って、多様な形状や大きさのプランターを竹を主材料として自在に形成することは、実現されていない。
【０００６】
以上の現状に鑑み本発明の目的は、竹を主材料とする多様な形状や大きさのプランターを提供することである。
【課題を解決するための手段】
【０００７】
上記の課題を解決すべく、本発明は以下の構成を提供する。括弧内の数字は、後述する図面中の符号であり、参考のために付するものである。
・  本発明の竹プランターの態様は、所定の長さの竹の全周を整数個に等角度分割した部分からなりかつ両端の各鉛直断面にはその外面（２ｃ）側に平面視にて略矩形に切り欠かれた切欠き部（２ａ）を具備しその内面（２ｄ）側に平面視にて略矩形の突出部（２ｂ）を具備する側面用竹部材（２）と、
前記側面用竹部材（２）より小径の竹からなりかつ平坦円筒形状の底面用竹部材（４、５）と、を具備し、
複数の前記側面用竹部材（２）がその長さ方向を鉛直方向として全周に亘って配置されかつ隣り合う側面用竹部材（２）同士が互いの前記切欠き部（２ａ）と前記突出部（２ｂ）により係合して接着固定されている側面部と、
複数の前記底面用竹部材（４、５）が前記側面部の下端内側に敷設されかつ該側面部と接着固定されている底面部と、を有する。
・  上記態様の竹プランターにおいて、前記整数個に等角度分割した部分が、２個又は３個に等角度分割した部分であることが好適である。
・  上記態様の竹プランターにおいて、前記側面用竹部材（２）と同じ長さでかつ該側面用竹部材（２）より小径の竹の全周の２分の１以下の部分からなる補強用竹部材（３）をさらに具備し、前記補強用竹部材（３）が、隣り合う前記側面用竹部材（２）同士の係合固定部分において隣り合う該側面用竹部材（２）の各々の内面に接着固定されていることが好適である。
・  上記態様の竹プランターにおいて、１つの前記側面用竹部材（２’）の一端の切欠き部（２ａ’）に対し該一端側の隣の側面用竹部材（２）の他端の突出部（２ｂ）が嵌め込まれ、かつ、該１つの側面用竹部材（２’）の他端の突出部（２ｂ’）は該他端側の隣の側面用竹部材（２”）の一端の切欠き部（２ａ”）に嵌め込まれるように、全周に亘って複数の前記側面用竹部材が係合していることが好適である。
【発明の効果】
【０００８】
本発明によれば、竹を主材料とするプランターであって、多様な大きさや形状のものを自在に作製することができ、竹の需要増大に貢献することができる。
【図面の簡単な説明】
【０００９】
【図１】図１は、本発明による竹プランターの一構成例を概略的に示した外観斜視図である。
【図２】図２は、図１の竹プランターの平面図である。
【図３】図３は、図１の竹プランターのＩ−Ｉ断面図である。
【図４】図４は、図１の側面用竹部材の作製方法を説明する概略平面図である。
【図５】図５は、図１の側面用竹井部材の組立方法を説明する概略平面図である。
【図６】図６は、隣り合う２つの側面用竹部材同士の接続部分を示している。
【図７】本発明による竹プランターの変形例を示した概略平面図である。
【図８】図８は、本発明による竹プランターの使用例を示している。
【発明を実施するための形態】
【００１０】
以下、本発明の構成例を示した図面を参照しつつ本発明の実施形態を説明する。
図１は、本発明による竹プランターの一構成例を概略的に示した外観斜視図である。図２は、図１の竹プランターの平面図である。図３は、図１の竹プランターのＩ−Ｉ断面図である。
【００１１】
竹プランター１は、主な構成要素として、側面用竹部材２と、補強用竹部材３と、底面用竹部材４、５とを具備する。
【００１２】
図示の例では、４つの側面用竹部材２により竹プランター１の側面部が形成されている。４つの側面用竹部材２で閉じた側面部の全周が形成されている。各側面用竹部材２は、所定の長さの竹の全周の２分の１の部分からなる。すなわち、１本の竹の全周３６０°を２個に、１８０°で等角度分割したものである。従って、同じ直径及び同じ長さの竹材を２本用いることにより、４つの側面用竹部材２を作製できる。側面用竹部材２は、その長さ方向が鉛直方向に配置されるので、その長さにより竹プランター１の高さが決まる。
【００１３】
図４は、図１の側面用竹部材２の作製方法を説明する概略平面図である。図４（ａ）では、先ず、所定の長さと直径の竹材１０を準備する。図４（ｂ）では、竹材１０の全周を１８０°の等角度に２分割し、２つの半割部材２０とする。図４（ｃ）では、各半割部材２０の両端の各鉛直断面において、外面２ｂから内方に切欠き部２ａを形成することにより、側面用竹部材２を得る。
【００１４】
切欠き部２ａは、平面視にて略矩形であり、側面用竹部材２の長さ方向全体に亘って延在する。符号２１は、切欠き部２ａを形成するために切り取られた部分を示している。平面視にて略矩形の切欠き部２ａの一辺の長さは、側面用竹部材２の厚さのほぼ２分の１とする。この結果、側面用竹部材２の両端の各鉛直断面は、外面２ｃ側よりも内面２ｄ側の方が突出した形状となる。符号２ｂは、切欠き部２ａと内面２ｄの間に形成された突出部を示している。突出部２ｂの形状も平面視にて略矩形であり、その一辺の長さは側面用竹部材２の厚さのほぼ２分の１となる。突出部２ｂも、側面用竹部材２の長さ方向全体に亘って延在する。
【００１５】
図５は、図１の側面用竹部材２の組立方法を説明する概略平面図である。ここでは、全周を構成する４つの側面用部材のうち隣り合う３つの側面用竹部材２、２’、２”を示している。１つの側面用竹部材２’の一端の切欠き部２ａ’に対し一端側の隣の側面用竹部材２の他端の突出部２ｂが嵌め込まれる場合、必ず、側面用竹部材２’の他端の突出部２ｂ’は他端側の隣の側面用竹部材２”の一端の切欠き部２ａ”に嵌め込まれるように、全周に亘って４つの側面用竹部材を係合させる。これにより、竹プランターの安定な側面部を構築できる。
【００１６】
図示しないが、図５の例における一端と他端を入れ替えた組立方法でもよい。また、後述する変形例のように、４つより多い側面用竹部材２を用いる場合、又は、異なる角度で等分割した側面用竹部材を用いる場合についても、同様にこの組立方法を適用することが好適である。この組立方法によれば、隣り合う側面用竹部材を十分に係合させられると共に、側面部全周を無理なく閉じることができる。
【００１７】
図６（ａ）は、隣り合う２つの側面用竹部材２、２同士の接続部分を示している。２つの側面用竹部材２、２’は、互いの切欠き部２ａ、２ａ’同士を係合させた状態で接着剤７により固定されている。この場合、側面用竹部材２の切欠き部２ａに、側面用竹部材２’の突出部２ｂ’が嵌め込まれるように係合させている。このとき、側面用竹部材２’の切欠き部２ａ’の一辺は側面用竹部材２の外面２ｃに沿うこととなる。これらの切欠き部２ａ、２ａ’及び突出部２ｂ’の対向面同士の間を接着剤７により接着固定する。
【００１８】
図６（ｂ）は、（ａ）とは隣り合う２つの側面用竹部材２、２’同士のなす角度が若干異なる例を示している。図７で後述するように、側面用竹部材の異なる形状や使用個数によって、このように隣り合う側面用竹部材２、２’同士のなす角度が若干変化する。その場合、切欠き部２ａと突出部２ｂの係合部分に生じる間隙の大きさも変化するが、この間隙には接着剤７が充填されることで双方の側面用竹部材２、２は確実に一体化される。美観上、接着剤７は透明であることが好適である。
【００１９】
図２及び図３を参照すると、竹プランター１の底面部を構成する底面用竹部材４、５が、側面部の下端内側に敷設されている。底面用竹部材４、５は、側面用竹部材２より小径の竹からなり、平坦円筒形状である。底面用竹部材４、５は、図示の例のように２種類とは限らない。様々な径をもつ竹の端材を用いて、底面用竹部材４、５同士の外面を接触させてできるだけ隙間無く敷設することが好適である。底面用竹部材４、５同士並びに底面用竹部材４、５と側面用竹部材２は、それぞれ接着剤により結合固定される。これにより、竹の端材も有効利用できる。底面用竹部材４、５の高さによって、竹プランター１の底面部の厚さが決まる。
【００２０】
さらに、図１〜図３を参照すると、側面部の内側に補強用竹部材３が取り付けられている。補強用竹部材３は、側面用竹部材２と同じ長さである。補強用竹部材３は、側面用竹部材２よりも小径でありかつ竹の全周の２分の１（すなわち１８０°）以下の部分からなる。補強用竹部材３の周方向の角度は、例えば、１２０°〜１８０°が好適である。補強用竹部材３の周方向両端の各々は、隣り合う側面用竹部材２、２同士の係合固定部分において、それらの隣り合う側面用竹部材２、２の各々の内面にそれぞれ接着固定されている。これにより、側面用竹部材２、２の係合部分を補強することができる。
【００２１】
図７は、本発明による竹プランターの変形例を示した概略平面図である（底面部は図示を省略している）。
【００２２】
図７（ａ）の竹プランター１Ａは、竹の全周を２個に（すなわち１８０°で）等角度分割した側面用竹部材２を２個用いると共に、竹の全周を３個に（すなわち１２０°で）等角度分割した側面用竹部材２Ａを６個用いることにより、側面部を形成している。図７（ｂ）の竹プランター１Ｂは、竹の全周を３個に等角度分割した側面用竹部材２Ａを１２個用いることにより、側面部を形成している。
【００２３】
このように、異なる種類及び異なる個数の側面用竹部材２、２Ａを組み合わせることにより、多様な形状と大きさのプランターを作製することができる。基本的には、竹の全周を整数個に等角度分割した側面用竹部材２を、適切な個数ずつ組み合わせて用いることが可能である。しかしながら、２分割（１８０°）と３分割（１２０°）の側面用部材が、組合せ易く、係合部分の強度を確保し易く、かつデザイン性も高いことから好適である。
【００２４】
図８は、本発明による竹プランターの使用例を示している。竹プランター１の底面部の上にメッシュ部材６が載置されている。メッシュ部材は、底面部から土が脱落しないように適切な目の大きさのものを選択する。このようなメッシュ部材は、通常、プラスチック製であり、園芸用品として知られている。
【００２５】
本発明の竹プランターの寸法の一例を挙げる。側面用竹部材２は、例えば直径１２０mm、長さ１５０mm、厚さ１０mmである。その場合、補強用竹部材３は、例えば直径４０mm、長さ１５０mm、厚さ５mmである。その場合、底面用竹部材４は、例えば直径６０mm、長さ３０mm、厚さ５mmであり、底面用竹部材５は、例えば直径２０mm、長さ３０mm、厚さ５mmである。本発明の竹プランターの材料は、孟宗竹や大竹等の比較的大径の竹が適している。しかしながら、これらの種類に限定されるものではない。
【００２６】
本発明による竹プランターは、間伐した竹における多様な直径をもつ各部位を無駄なく利用することができる。竹は繊維が多く、多孔構造を有するので保温性があり、プランターとして適している。また、本発明の竹プランターは、ボルトや釘等を用いておらずほぼ天然素材のみであるので、経年劣化した場合にも廃棄が容易で環境に悪影響がない。
【符号の説明】
【００２７】
１、１Ａ、１Ｂ  竹プランター
２、２’、２”、２Ａ  側面用竹部材
２ａ  切欠き部
２ｂ  突出部
２ｃ  外面
２ｄ  内面
３  補強用竹部材
４、５  底面用竹部材
６  メッシュ部材
７  接着剤
【図１】
2018108056.tif 000003
【図２】
2018108056.tif 000004
【図３】
2018108056.tif 000005
【図４】
2018108056.tif 000006
【図５】
2018108056.tif 000007
【図６】
2018108056.tif 000008
【図７】
2018108056.tif 000009
【図８】
2018108056.tif 000010